(57)【要約】【課題】  十分な希釈倍率をとることができ、阻害物の影響を受けることなく正確にＢＯＤを測定することが出来るＢＯＤ測定方法を提供すること。【解決手段】  ＢＯＤ測定対象の原水を希釈水で希釈し、この希釈された混合水の所定時間後における溶存酸素消費量からＢＯＤを測定するＢＯＤ測定方法であって、前記希釈は、生物阻害を生じる阻害物濃度の影響がなくなる希釈倍率で、かつ希釈水のＢＯＤ濃度を、混合水のＢＯＤが推奨測定値となるように調整して行う。【特許請求の範囲】
【請求項１】
ＢＯＤ測定対象の原水を希釈水で希釈し、この希釈された混合水の所定時間後における溶存酸素消費量からＢＯＤを測定するＢＯＤ測定方法であって、
前記希釈は、生物阻害を生じる阻害物濃度の影響がなくなる希釈倍率で、かつ希釈水のＢＯＤ濃度を、混合水のＢＯＤが推奨測定値となるように調整して行う
ことを特徴とするＢＯＤ測定方法。
【請求項２】
推奨測定値が、３〜６ｍｇ／Ｌの間の適正値であることを特徴とする請求項１に記載のＢＯＤ測定方法。
【請求項３】
人工基質などでＢＯＤ濃度を調整した希釈水を用いることを特徴とする請求項１または請求項２に記載のＢＯＤ測定方法。
【請求項４】
阻害物が、各種重金属、キレート剤、次亜塩素酸ソーダなどの消毒剤、界面活性剤、タンニン、リグニンまたは硝酸イオン、亜硝酸イオン、硫化水素などのいずれかであることを特徴とする請求項１に記載のＢＯＤ測定方法。
【発明の詳細な説明】
【技術分野】
【０００１】
本発明は、排水中のＢＯＤ（生物学的酸素要求量）を測定するＢＯＤ測定方法に関する。
【背景技術】
【０００２】
排水中のＢＯＤを測定する方法は従来から各種のものが提案されている（例えば、特許文献1参照）。本発明はＪＩＳに定められた方法により、阻害物質の影響を受けることなく、正確にＢＯＤを測定する方法に関する。
【０００３】
ＢＯＤの測定方法は一般的にＪＩＳ  Ｋ０１０２−２１（旧Ｋ０４００−２１）で行われる。この場合ＢＯＤは、検体である排水の溶存酸素濃度の試験前と試験後の数値(mg/L)の差によって算出する。つまり、排水中に有機物が存在する場合、その分解に当って排水中の溶存酸素を消費することになる。試験では２０℃で５日間の条件で行われる。通常、飽和溶存酸素濃度は、純水２０℃１気圧において８．８４ｍｇ／Ｌである。このため、有機物濃度が高い排水をそのまま測定するという訳にはいかず、希釈を行ない、希釈後の測定値と希釈倍率とから排水のＢＯＤを得ている。ＪＩＳでは希釈倍率は以下のように定めている。
【０００４】
Ｃ１／３＜（Ｃ１−Ｃ２）＜２×Ｃ１／３
ここに，Ｃ１：希釈試料の培養前の溶存酸素の濃度(mg/L)
Ｃ２：希釈試料の５日間後の溶存酸素の濃度(mg/L)
上記式において、（Ｃ１−Ｃ２）がＢＯＤに相当するので、上述した飽和溶存酸素濃度との関係から、測定されるＢＯＤは３〜６ｍｇ／Ｌの間になることが求められる。通常は中間値である４．４ｍｇ／Ｌを目標に、元の排水（原水）を希釈することになる。例えば，原水のＢＯＤを６，０００ｍｇ／Ｌとした時の希釈は１３６０倍程度になる（６０００÷１３６０＝４．４１）。
【０００５】
このように、原水のＢＯＤ濃度が高い場合は、大きな希釈倍率をとることができる。希釈倍率を大きくとれることは、排水中に生物阻害を生じる阻害物が含まれていても、この阻害物による影響をなくすことが出来る。
【０００６】
しかし、排水のＢＯＤがそれほど高くない場合は、阻害物が存在していても、目標とする測定値：４．４ｍｇ／Ｌを得るための希釈を行なうに当たって、十分大きな希釈倍率をとることができなくなる。例えば、ＢＯＤが４０ｍｇ／Ｌ程度と推定された場合、その希釈倍率は９倍となる。このように、９倍程度の希釈倍率の場合、阻害物濃度が十分小さくならずに生物阻害が現れることがある。
【０００７】
上記条件において、ＢＯＤの測定値は、次式から本来４．４ｍｇ／Ｌとなるはずであるが、実際には生物阻害により４．４ｍｇ／Ｌより小さな値となる。
【０００８】
４０ｍｇ／Ｌ÷９＝４．４ｍｇ／Ｌ
このため、割り戻した測定ＢＯＤ濃度は、本来の値である４０ｍｇ／Ｌより小さくなる。すなわち、希釈倍率によってＢＯＤが異なる現象が起き、真のＢＯＤが分らなくなってしまう。
【特許文献１】特開２００２−３３３４４０号公報
【発明の開示】
【発明が解決しようとする課題】
【０００９】
このように、ＢＯＤ測定のために必要な希釈倍率が、阻害物の影響を受けなくなるまで必要な希釈倍率より小さい場合、阻害物の影響が生じ、正確なＢＯＤの測定が困難となる。
【００１０】
言い換えると、ＢＯＤ測定に必要な推奨された希釈倍率では、阻害物の影響を無視できないことがあり、その場合、正しいＢＯＤを測定できない。また、阻害物の影響が出ない倍率まで希釈すれば、ＪＩＳで推奨する測定ＢＯＤ濃度より小さくなる。このように、極めて小さいＢＯＤ濃度が得られた場合、割り戻した際の誤差が大きくなる。
【００１１】
本発明の目的は、十分な希釈倍率をとることができ、阻害物による影響を受けることなくＢＯＤを正確に測定できるＢＯＤ測定方法を提供することにある。
【課題を解決するための手段】
【００１２】
本発明のＢＯＤ測定方法は、ＢＯＤ測定対象の原水を希釈水で希釈し、この希釈された混合水の所定時間後における溶存酸素消費量からＢＯＤを測定するＢＯＤ測定方法であって、前記希釈は、生物阻害を生じる阻害物濃度の影響がなくなる希釈倍率で、かつ希釈水のＢＯＤ濃度を、混合水のＢＯＤが推奨測定値となるように調整して行うことを特徴とする。
【００１３】
本発明では、推奨測定値が、３〜６ｍｇ／Ｌの間の適正値である。
【００１４】
また、本発明では、人工基質などでＢＯＤ濃度を調整した希釈水を用いる。
【００１５】
さらに、本発明では、阻害物が、各種重金属、キレート剤、次亜塩素酸ソーダなどの消毒剤、界面活性剤、タンニン、リグニンまたは硝酸イオン、亜硝酸イオン、硫化水素などのいずれかである。
【発明の効果】
【００１６】
本発明によれば、原水に対する希釈水のＢＯＤ濃度を調整することにより、阻害物濃度の影響が生じない十分な希釈倍率で希釈でき、しかも推奨測定値で測定できることから、誤差の少ない正確なＢＯＤを測定することができる。
【発明を実施するための最良の形態】
【００１７】
以下、本発明によるＢＯＤ測定方法の一実施の形態を詳細に説明する。
【００１８】
本発明のＢＯＤ測定方法は、ＢＯＤ測定対象の原水を希釈水で希釈し、この希釈された混合水の所定時間後における溶存酸素消費量からＢＯＤを測定するＢＯＤ測定方法である。この場合、前記希釈は、生物阻害を生じる阻害物濃度の影響がなくなる希釈倍率で、かつ希釈水のＢＯＤ濃度を、混合水のＢＯＤが推奨測定値となるように調整して行う。
【００１９】
例えば、阻害物が混入している排水（混入している阻害物としては、各種重金属、キレート剤、次亜塩素酸ソーダなどの消毒剤、界面活性剤、タンニン、リグニンなど）、或いは、阻害物が処理過程で生じる排水（生成する阻害物としては、硝酸イオン、亜硝酸イオン、硫化水素など）を、生物処理によって浄化する場合、その処理水のＢＯＤを正確に（希釈倍率による値の違いなく）測定する必要がある。本発明はこのような場合に用いられる方法であって、排水中の阻害物の影響を受けることなく正確にＢＯＤを測定することができる。
【００２０】
ここで、従来法での希釈水は、蒸留水あるいは同等の純度の水に各種塩溶液を加えたもので、有機物、酸化性又は還元性の物質、金属汚染がないものである。ところが、この希釈水では上述したように、阻害物の存在下で真のＢＯＤを測定できないことがある。
【００２１】
そこで、あらかじめＢＯＤ濃度が分っている試料を、人工基質等（ショ糖と栄養塩類などを加えたもの）と蒸留水により作成する。この資料のＢＯＤ濃度は、例えば、従来法の測定目標であるＢＯＤ４．４ｍｇ／Ｌとする。さらに、この試料を曝気してＤＯ（溶存酸素濃度）８ｍｇ／Ｌ以上の希釈水を得る。
【００２２】
先ほどの、ＢＯＤが４０ｍｇ／Ｌ程度と推定される原水の例で、阻害物の影響をなくすために５０倍の希釈が必要だとする。従来法で測定すると次式のようになる。
【００２３】
４０ｍｇ／Ｌ÷５０＝０．８ｍｇ／Ｌ
この場合の測定値：０．８ｍｇ／Ｌは、前述した推奨測定値：３〜６ｍｇ／Ｌの範囲に入らず、測定困難である。
【００２４】
また、従来法により、仮に５倍希釈を行った場合は次式のようになる。
【００２５】
４０ｍｇ／Ｌ÷５＝８．０ｍｇ／Ｌ
この場合の測定値：８．０ｍｇ／Ｌも、前述した推奨測定値：３〜６ｍｇ／Ｌの範囲に入らず、本来測定できないケースである。しかし、実際には阻害物の影響で推奨値内に入って測定できることとなり、誤測定する可能性がある。
【００２６】
これに対し本発明方法では、ＢＯＤが４０ｍｇ／Ｌ程度と推定される原水の例において、ＢＯＤを４．４ｍｇ／Ｌに調整した希釈水を用い、阻害物の影響がなくなる５０倍の希釈率で希釈するものとする。この場合の、上記条件で希釈された混合水のＢＯＤ測定値は次式となる。
【００２７】
（４０×１＋４．４×４９）÷５０＝５．１ｍｇ／Ｌ
この場合の測定値：５．１ｍｇ／Ｌは、前述した推奨測定値：３〜６ｍｇ／Ｌの範囲に入り、正確な測定が可能となる。すなわち、阻害物の影響を受けない正確なＢＯＤ測定が可能となる。
【００２８】
このように、阻害物の影響がでなくなるまで十分希釈しても、ＢＯＤ値は推奨測定値内に入り、信頼できる数値が得られる。
【００２９】
被測定水のＢＯＤ濃度が１００ｍｇ／Ｌ以上と予測される場合には，希釈倍率を大きく取るか，希釈水のＢＯＤ濃度を推奨最小値の３ｍｇ／Ｌとする。
【００３０】
以下、表１に５０倍希釈を行う時のＢＯＤ（ｍｇ／Ｌ）数値を示す。なお、表１における希釈水、混合水、被測定水は次のように定義する。
【００３１】
希釈水  ：あらかじめＢＯＤ濃度が分っているもの。
【００３２】
混合水  ：希釈混合後のもので実際にＢＯＤ濃度を測定するもの。
【００３３】
被測定水：ＢＯＤ濃度を求めたいもの（原水）。
【表１】
2007064741.tif 000002
【００３４】
このように、被処理水（原水）のＢＯＤが９．４〜１５３．０であっても、希釈水のＢＯＤを４．４〜３．０に調整することにより、阻害物の影響の出ない５０倍の希釈倍率で希釈することにより、混合水の測定値は、奨励測定値：３．０〜６．０の範囲内である４．５〜６．０の値となる。このことから、阻害物に影響を受けることなく被処理水のＢＯＤを正確に測定することができる。